(57)【特許請求の範囲】
【請求項１】
ベッドが縦方向の不使用位置に収納されているデスク使用位置と、前記デスクが前記ベッドの下で床に隣接して収納されているベッド使用位置との間で可動であるベッドとデスクの組み合わせ家具であって、連結部（６）において固定支持材（１）に回動可能に連結されているベッド（４）と、連結部（８）において前記ベッドに回動可能に連結されているデスク（３）とを具え、前記デスクが、端部（１０）において前記固定支持材に回動可能に連結されているコネクティングロッド（９）によってガイドされ、前記デスクが、移動中および前記２つの使用位置に達したときに水平を保ち、前記組み合わせ家具のこの配置が平行四辺形リンク機構（１０、６、８、１１）を実現するベッドとデスクの組み合わせ家具において、前記平行四辺形リンク機構が：
家具の側面あるいは支持材に固定された実質的に縦方向の第１の固定仮想辺（１０、６）と、
前記ベッドに付随した傾斜した第２の隣接仮想辺（６、８）と、
前記第１の仮想辺に対向する前記ベッドに付随した第３の仮想辺であって、移動中も前記第１の固定仮想辺に対して平行である第３の仮想辺（８、１１）と、
傾斜した第４の仮想辺（１１、１０）であって、前記デスク（３）の位置（１１）を前記縦方向の第１の固定仮想辺の下端部（１０）に連結するコネクティングロッド（９）である第４の仮想辺とを具え、
前記デスクの使用位置と不使用位置が互いに、実質的に上下に位置し、前記ベッドの展開時および使用時に、前記ベッドと前記デスクとの間にクリアランスが保たれることを特徴とするベッドとデスクの組み合わせ家具。
【請求項２】
請求項１に記載のベッドとデスクの組み合わせ家具において、前記ガイドするコネクティングロッド（９）が、移動部品をバランスさせるスプリングに連結されていることを特徴とするベッドとデスクの組み合わせ家具。
【請求項３】
請求項１および２に記載のベッドとデスクの組み合わせ家具がさらに、収納部を具えることを特徴とするベッドとデスクの組み合わせ家具。
【請求項４】
請求項１乃至３のいずれか１項に記載のベッドとデスクの組み合わせ家具が、モータ機構により変形を実行することを特徴とするベッドとデスクの組み合わせ家具。
【請求項５】
請求項１乃至４のいずれか１項に記載のベッドとデスクの組み合わせ家具が、ベッド本体を所定の位置に保持する回転制御機構を具え、これにより、ベッドが回転して縦方向に収納され元に戻った時に、ベッドを保持するためのエレメントが不要であることを特徴とするベッドとデスクの組み合わせ家具。
【発明の詳細な説明】
【技術分野】
【０００１】
本発明は、択一的に１以上の機能を果たす単一ユニットの変形可能な家具に関するものである。物をデスク上に残すことができる、ベッドとデスクの組み合わせの改良に適用される。
【背景技術】
【０００２】
発明の背景
ウォールベッド（マーフィベッドとも言い、１９００年に特許されている）は、良く知られた家具であり、部屋のカーテン領域が二重に使用できる。この家具は、重量のバランスを取り、ベッドを収納したり取り出したりする努力を少なくるためのスプリングを含む、非常に単純な構造をもつ。いくつかのバージョンでは、ベッドが縦位置に収納されたときに展開することのできる折り畳み式デスクトップをとりつけられており、ベッドとデスクの組み合わせ家具になっている。このデスクトップは、デスクの上を片づけて収納しなくてはならず、その後にベッドを展開することが可能になる。デスクトップには、通常、ベッドが占める領域の一部が使用されている。
【０００３】
いくつもの特許において、ベッドとデスクを固定位置において組み合わせるようにするか、あるいは、それを収納するためにベッドを折り畳むようにしたものがある。しかしながら、ものを乗せたデスクトップを収納して、同じ領域にベッドを展開できるようにしたものもいくつか見られる。
【０００４】
同様の提案は本発明と以下のように比較される。
１９７８年１月３１日に特許された米国特許第４，０７０，７１５号は、ウォールベッドと、上下するデスクからなるベッドとデスクの組み合わせを提案している。
【０００５】
ここで用いられている構造は複雑であり、鎖、ピニオン、シャフト、ラックを有しており、さらに、（ほぼ必然的に）モータを必要とする。デスクが使用位置から下降するときに、デスクトップが水平に保たれ、ものがその上に残るようにしている。同時に、収納されていたベッドが壁に向かって回転して、通常の水平位置に展開する。このストロークはデスクトップ上に残っているものの高さを低くするのみである。
【０００６】
この家具の主要素である、ベッドとデスクは、使用中に同じフロア領域を交互に占有する。デスクトップとベッドの高さは、通常の使用位置にある。これに比べて、本発明は、２、３組のシンプルな補助パーツを有するのみであり、著しいコストの削減と、簡単な構造を実現する。
【０００７】
要約すると、システムは収納位置が異なり、使用されている機械的手段がことなる。
【０００８】
１９９５年２月９日に付与されたドイツ国特許第ＤＥ４３１８７８５号は、追加の家具本体ユニットを持たないベッドとデスクトップの組み合わせを提案している。ここに記載された構造は、壁に固定された要素にリンクしたベッドとデスクトップをガイドするものである。移動部品の重量と機械的なレバーアクションは床の上を回転する４つのホイールで操作される。
【０００９】
最終的な収納位置において、ベッドは壁に対してフラットに、一方の側を床につけて横たわる。
【００１０】
このメカニズムは、本発明のものより複雑である。この装置は５組の部品（あるいは、標準仕様では６組あるいはそれ以上）を有し、更に、床の上をホイールが回転するために床の品質が適切なものでなくてはならない。床がこの要求される品質を欠く場合は、なんらかの工事がなされるか、追加でレールを敷かなければならない。更に、主連結部はより長く、屈折部において負荷がかかるので、本発明の装置のほうが使用者にとってよりすぐれた剛性、堅固な質感を有する。
【発明の開示】
【発明が解決しようとする課題】
【００１１】
本発明は、２、３組のシンプルな補助パーツを有するのみであり、著しいコストの削減と、簡単な構造を実現する。
【００１２】
要約すると、システムは収納位置が異なり、使用されている機械的手段が異なる。
【発明を実施するための最良の形態】
【００１３】
好適な実施形態の説明
図１、２、３、４、５および６を参照して本発明の実施例を説明する。
本発明の家具は、本体１を具える。本体１の上側部分２はカップボードなどの収納部である。中間部分および下側部分はデスクトップ３とベッドフレーム４をマットレスとベッド本体と共に保持している。デスクトップ位置にあるときは、ベッドは家具の背部に平坦に（あるいは、家具に背部がない場合は壁に）寄りかかっており、ベッド本体は見えない状態にある。デスクトップは片持ちに指示されており、その後部エッジはベッド底部によりかかっている。ベッドにするときには、デスクトップは常に水平を保って下側に案内され、ベッドは符号６の位置で回転して展開する。
【００１４】
この家具は、二つのガイド用対称リンク機構を具えているが、説明を簡単にするために、一のリンク機構のみを引用して説明する。
【００１５】
ベッドとデスクトップは、ヘッドアーム７Ａおよび７Ｂを介して連結されている。コネクティングロッド９は平行であり、連結部６と８によって画定するイマジナリセグメントに対して同じ可動長を有する。このコネクティングロッド９は、符号１０の位置で、本体と連結されており、連結部１１がデスクトップを案内する。
【００１６】
したがって、符号６、８、１０、１１の点で平行四辺形が画成され、従ってデスクトップはそのストロ−クを通じて一定の水平を保つ。
【００１７】
この平行四辺形を、金属で構成して、デスクトップのヘッドを対応する側に固定するようにすることができる。この施工、および他の施工は、同一発明の変形である。
【００１８】
美的理由もしくは実用的な理由により、コネクティングロッド９は、図示されている位置に平行な位置にある他の場所に配置して、常に平行四辺形を形成し、コネクティングロッドに連結する適当なベッドアームとテーブルヘッドを要求するようにしても良い。
【００１９】
ベッドを支持するのに家具本体に代えて壁あるいは補助構造が使用されている場合にも、同様のリンク機構を使用することができる。
【００２０】
バランスシステムを加えて、デスクトップからベッド、あるいは、ベッドからデスクトップへ変更する際の労力を削減するようにしても良い。
【００２１】
力のバランスは、内容物共々にデスクトップとベッドの重量を中立化するものであり、スプリング、ねじれバー、ガススプリング、釣り合いおもり、その他の直接的に作用するもの、あるいはレバーやケーブルなどによるものなど、どのようなものでも良い。本発明のユニットに作用しない限り、さまざまな機械的バランスを使用して変形例とすることができる。
【００２２】
直接マニュアル変換用のバランスは、動作を容易にするために全ストロークを通じて正確なものでなくてはならない。
【００２３】
バランスを調整した後、バラストを加えて重量のある品物がデスクトップあるいはベッドから取り去られた時にバランスを維持できるようにしても良い。
【００２４】
部品の上げ下ろしを容易にするために、電気的あるいは機械的（ハンドル、ペダル、他）にモータリゼーションを行って、バランスを正確に取る必要性を減少させることが可能である。
【００２５】
この場合、バランスの要求はそれほど厳密でなく、バラストの使用は不要である。
【００２６】
ベッドの収納
ベッドは、ベッドを保持するためのストラップや同様のエレメントを必要としない。これは、採用されているベッドの回転制御機構によるものであり、これにより、マットレスに適度な横方向の力が掛かった状態でベッドが縦位置に保持される。
【００２７】
最小面積モデル
変形例では、ベッドの長さより短いデスクトップを使用するようにしている。支持条件が同様であれば、デスクトップは、ベッドが使用していた領域の一部のみを占めることになり、フロア領域がいくらか残ってタンスや棚などの他のエレメントに使用することができる。また、このようなエレメントは、椅子として使用することができ、家具の内側面、あるいは隣接する壁は、シートになる背もたれとして作用する。従って、この配置は補助エレメントを用いることなく快適に作用する。この配置が最良のフロアの使用である。
【００２８】
好ましいバランスシステムの実施例
本発明では、バランス機構が加えられており、これを図７を参照して説明する。機構は、二つの対称ユニット（左右）を含み、各ユニットは各本体側の内面（あるいは他の支持材）に固定されている。説明を簡単にするために、一のユニットのみに符号を付した。ユニットは、ベッドとデスクをガイドするのに必要な回動エレメント６とコネクティングロッド９を具える。各ユニットは、縦型ボックス（あるいはボックス状のもの）１６を具え、このボックス１６は上端が部品１５（ボックス１６に固定されている）に保持されているスプリング１４を含む。このスプリングは、テンションの大きいものに代えてもよい。スプリング１４の下側端部は、部品１３によって、位置１２で（コネクティングロッド９）に対して付勢されている。このコネクティングロッド９は、位置１０を中心に回動する。位置１１でデスクトップをガイドし、上述の可動部品をバランスさせる。
【００２９】
この設計により、適当な大きさの部品によって、全ストロークの間、懸垂部品に重力効果のための好適な動作の実現に寄与する。
【図面の簡単な説明】
【００３０】
【図１】図１は、ベッドを収納し、デスクトップを使用状態にした状態を示す側面図である。
【図２】図２は、ベッドを収納し、デスクトップを使用状態にした状態を示す正面図である。
【図３】図３は、ベッドを展開させ、デスクトップを収納した（下側に位置する）状態を示す側面図である。
【図４】図４は、ベッドを展開させ、デスクトップを収納した（ベッドの下側に位置する）状態を示す正面図である。
【図５】図５は、ベッドを展開させ、デスクトップを収納した（ベッドの下側に位置する）状態を示す斜視図である。
【図６】図６は、ベッドを収納し、デスクトップを使用状態にした状態を示す斜視図である。
【図７】図７は、バランス機構を示す分解図である。
【図１】
0004109193.tif 000002
【図２】
0004109193.tif 000003
【図３】
0004109193.tif 000004
【図４】
0004109193.tif 000005
【図５】
0004109193.tif 000006
【図６】
0004109193.tif 000007
【図７】
0004109193.tif 000008